(57)【要約】      （修正有）【課題】本発明は、騒音を低減したポンプ装置の提供を目的とする。【解決手段】電動機の回転軸がケーシング１０３を貫通し、軸封装置、羽根車１０６の順で固着され、羽根車を覆うようにケーシングカバーがＯリングを介して水密に固着されて、回転軸の回転により渦流れポンプ作用を行う渦流れ形ポンプ装置において、前記ケーシングは、吸い込み流路１１４と吐き出し流路１１５とを有し、前記吸い込み流路と前記吐き出し流路を切り分ける隔壁部１１６の吐き出し流路側の面は、羽根車の厚み方向にスキュー形状θ１を備える。【選択図】図４
2016217283.tif 000002
【特許請求の範囲】
【請求項１】
電動機の回転軸がケーシングを貫通し、軸封装置、羽根車の順で固着され、羽根車を覆うようにケーシングカバーがＯリングを介して水密に固着されて、回転軸の回転により渦流れポンプ作用を行う渦流れ形ポンプ装置において、
前記ケーシングは、吸い込み流路と吐き出し流路とを有し、
前記吸い込み流路と前記吐き出し流路を切り分ける隔壁部の吐き出し流路側の面は、羽根車の厚み方向にスキュー形状を備えることを特徴とする渦流れ形ポンプ装置。
【請求項２】
前記隔壁部の吐き出し流路側の面は、前記羽根車の回転方向にスキュー形状を備えることを特徴とする請求項１に記載の渦流れ形ポンプ装置。
【請求項３】
前記吐き出し流路の壁は、前記隔壁部のスキュー形状に沿った形状であることを特徴とする請求項２に記載の渦流れ形ポンプ装置。
【発明の詳細な説明】
【技術分野】
【０００１】
本発明は、渦流れ形ポンプ装置に関するものである。
【背景技術】
【０００２】
特許文献１には、電動機の回転軸がケーシングを貫通し、軸封装置、羽根車の順で固着され、羽根車を覆うようにケーシングカバーがＯリングを介して水密に固着されて、回転軸の回転により渦流れポンプ作用を行う渦流れ形ポンプ装置において、前記ケーシングは、吸い込み流路と吐き出し流路とを有し、前記吸い込み流路と前記吐き出し流路を切り分ける隔壁部を有する渦流れ形ポンプ装置が記載されている。
【先行技術文献】
【特許文献】
【０００３】
【特許文献１】特開２０１２−８７６５８号公報
【発明の概要】
【発明が解決しようとする課題】
【０００４】
特許文献１に記載の渦流れ形ポンプ装置では、揚水される水は、電動機の回転軸の回転により、羽根車が回転すると、羽根車の溝とケーシングの水通路で渦が発生し、運動エネルギーを増しながらほぼ一回転して高圧となり、前記隔壁部にて切り分けられて、分離室へと誘導される。その際、羽根車の回転により多数の溝から発生する渦の運動エネルギーが隔壁部に衝突し、振動エネルギーへと変換され、ケーシングやケーシングカバーへ伝搬し騒音の原因となる恐れがある。
【０００５】
本発明は、騒音を低減したポンプ装置の提供を目的とする。
【課題を解決するための手段】
【０００６】
本発明は、電動機の回転軸がケーシングを貫通し、軸封装置、羽根車の順で固着され、羽根車を覆うようにケーシングカバーがＯリングを介して水密に固着されて、回転軸の回転により渦流れポンプ作用を行う渦流れ形ポンプ装置において、前記ケーシングは、吸い込み流路と吐き出し流路とを有し、前記吸い込み流路と前記吐き出し流路を切り分ける隔壁部の吐き出し流路側の面は、羽根車の厚み方向にスキュー形状を備えることを特徴とする。
【発明の効果】
【０００７】
本発明は、騒音を低減したポンプ装置を提供することができる。
【図面の簡単な説明】
【０００８】
【図１】本発明の一実施例に係るもので、渦流れ形ポンプ装置の縦断面図である。
【図２】本発明の一実施例に係るポンプヘッド部の斜視図である。
【図３】本発明の一実施例に係るケーシングの正面図である。
【図４】本発明の一実施例に係るケーシングに羽根車を組み込み、ケーシングの上方から見た図である。
【図５】従来のケーシングに羽根車を組み込み、ケーシングの上方から見た図である。
【図６】本発明の一実施例に係るケーシングに羽根車を組み込んだ縦断面図である。
【図７】従来のケーシングに羽根車を組み込んだ縦断面図である。
【発明を実施するための形態】
【０００９】
以下、本発明の一実施形態を本発明の実施例の図面に沿って説明する。
【００１０】
本発明の一実施例であるポンプ装置の構成概要を図１および図２を用いて説明する。
【００１１】
＜ポンプの概要＞
渦流れ形ポンプ装置１００は、使用水量の急変による圧力変化を緩和する圧力タンク１３０と、ポンプを駆動する電動機１０１と、電動機１０１の回転速度を変速させる速度制御装置が搭載された制御基板１３１と、吐き出し側水通路部１３２に載置されたポンプ装置の圧力を検出する圧力センサー１３３と、が備わっており、それらとポンプカバー１３４とを主たる構成部品としている。なお、本実施形態の説明は、代表的な渦流れ形ポンプ装置である圧力タンクを備えた自動式ポンプを例示するが、本発明は圧力タンクを備えた自動式ポンプに限定されるものではない。
【００１２】
本実施形態の渦流れ形ポンプ装置は、電動機１０１の回転軸１０２が、合成樹脂製のケーシング１０３を貫通し軸封装置１０４を介して、周辺に多数の溝１０５（羽根）を持つ円板状の羽根車１０６が固着される。軸封装置１０４は円筒形状を有し、回転軸１０２の外周と合成樹脂製のケーシング１０３の貫通孔の間に挿入され、軸封装置１０４は回転軸１０２に対しても合成樹脂製のケーシング１０３の貫通孔に対しても相対的に摺動可能である。多数の溝１０５と同心円になるように合成樹脂製のケーシング１０３の内側には円環状の水通路１１３が形成される。
【００１３】
水通路１１３の一部を吸い込み流路１１４と吐き出し流路１１５に分ける隔壁部１１６と、水通路１１３より小径のライナー面１１７とを有する、耐食性材料であるインナーリング１１８が合成樹脂製のケーシング１０３に固着されている。
【００１４】
なお、ライナー面１１７は必須の構成ではない。図３に、本発明の一実施例に係る合成樹脂製のケーシング１０３にインナーリング１１８を固着した図を示す。
【００１５】
ここで、ポンプにおける騒音の発生の一例について説明する。揚水される水は、電動機１０１の回転軸１０２の回転により、羽根車１０６が回転すると、羽根車１０６の溝１０５と合成樹脂製のケーシング１０３の水通路１１３で渦が発生し、運動エネルギーを増しながらほぼ一回転して高圧となり、隔壁部１１６にて切り分けられて、分離室１１１へと誘導されていくものである。隔壁部１１６の両側では大きな圧力差が生じるため、ライナー面１１７を設けて摩擦力を得て損失を防いでいる。その際、羽根車１０６の回転により多数の溝１０５から発生する渦の運動エネルギーが隔壁部１１６に衝突する際に衝突エネルギーに変換され、衝突エネルギーが振動エネルギーへと変換され、ケーシング１０３やケーシングカバー１０７へ伝搬し騒音の原因となる。
【００１６】
次に本発明の一実施例に係る隔壁部１１６の形状について図４から図７を用いて説明する。図３、図４および図６に示すとおり、隔壁部１１６はインナーリング１１７と一体に成形され、インナーリング１１７と同じ耐食性材料で構成される。
【００１７】
まず、図４を用いて羽根車１０６の厚み方向の隔壁部１１６の形状について説明する。図４は本発明に関わるケーシング１０３に羽根車１０６を組み込み、ケーシング１０３の上方から見た図である。図４から、隔壁部１１６の羽根車１０６の厚み方向にスキュー形状θ１を備えることがわかる。
【００１８】
図５は、従来の隔壁部２１６を示す図である。従来の隔壁部２１６は図５に示すとおり、羽根車１０６の回転方向１０６ａに対し平行である。そのため羽根車１０６の回転により多数の溝１０５から発生する運動エネルギー（水の流れ）が従来の隔壁部２１６に一度に衝突する構造であった。
【００１９】
一方、図４に示す本発明の一実施例に係る隔壁部１１６は羽根車１０６の厚み方向にスキュー形状θ１を備えることで、羽根車１０６の回転により多数の溝１０５から発生する運動エネルギー（水の流れ）を隔壁部１１６のスキュー形状θ１部に徐々にあてる構造となっている。運動エネルギー（水の流れ）を徐々にあてる構造とすることで衝突エネルギーを分散させる構造としている。
【００２０】
次に、図６を用いて羽根車回転方向の隔壁部１１６について説明する。図６は本発明に関わるケーシング１０３に羽根車１０６を組み込んだ縦断面図であり、隔壁部１１６は羽根車１０６の回転方向にスキュー形状θ２を備える。
【００２１】
図７、従来の隔壁部２１６を示す図である。従来の隔壁部２１６は図７に示すとおり、羽根車１０６の接線方向に対しほぼ直角である。そのため羽根車１０６の回転により多数の溝１０５から発生する運動エネルギー（水の流れ）が従来の隔壁部２１６に衝突した後に、吐き出し流路１１５に導かれる構造である。
【００２２】
一方、図６に示す本発明の一実施例に係る隔壁部１１６は羽根車１０６の回転方向に対し鋭角になるスキュー形状θ２を備えることで、羽根車１０６の回転により多数の溝１０５から発生する運動エネルギー（水の流れ）が吐き出し流路１１５に沿うようにスムーズに導かれる構造としている。
【００２３】
更には、図６に示す通り、吐き出し流路１１５の壁１１５ａはスキュー形状θ２に沿った形状（角度）であるため、衝突による損失を最小限に抑えられ騒音の低減に効果を奏する。
【００２４】
また、吸い込み流路１１４については詳述しないが、吸い込み流路１１４から流入する水が羽根車１０６の中心部に向かう（矢印Ｓ）よう流路を形成するとともに、隔壁部１１６の吸い込み流路１１４側にもスキュー形状θ３を備え、流入する水がスムーズに導かれる構造としている。
【００２５】
以上、隔壁部１１６はインナーリング１１７の材料で構成される内容で説明したが、ケーシング１０３の材料で構成しても同様の効果が得られるのはもちろんである。
【符号の説明】
【００２６】
１０１  電動機、１０２  回転軸、１０３  ケーシング、１０４  軸封装置、
１０５  多数の溝、１０６  羽根車、１１６ａ  羽根車の回転方向、
１０７  ケーシングカバー、１１３  水通路、１１４  吸い込み流路、
１１５  吐き出し流路、１１５ａ  吐き出し流路の壁、１１６  隔壁部、
１１７  ライナー面、１１８  インナーリング、１３０  圧力タンク、１３１  制御基板、１３２  吐き出し側水通路、１３３  圧力センサー、
１３４  ポンプカバー、２１６  従来の隔壁部
【図１】
2016217283.tif 000003
【図２】
2016217283.tif 000004
【図３】
2016217283.tif 000005
【図４】
2016217283.tif 000006
【図５】
2016217283.tif 000007
【図６】
2016217283.tif 000008
【図７】
2016217283.tif 000009